(57)【特許請求の範囲】
【請求項１】
本体を含み、
前記本体の右側には重量検査装置が設置され、前記重量検査装置は前記本体の右側に位置した検査空間を含み、前記検査空間の中には押しブロックと押しロッドが設置され、車両が前記押しブロックを通過するとき、前記押しブロックが下方へ移動し、車両が過負荷になっていない場合、正常に通過でき、車両が過負荷になっている場合、前記押しブロックが前記押しロッドと接触して前記押しロッドを押して左方へ移動させ、前記重量検査装置の左側には動力伝達空間が設置され、前記動力伝達空間の中には過負荷警告装置が設置され、前記過負荷警告装置は前記動力伝達空間の中の中実ブロックを含み、前記中実ブロックには固定ブロックが固定的に設置され、前記動力伝達空間の中には第一移動溝が形成され、前記押しロッドが前記第一移動溝にスライドできるように連結されることができ、車両が過負荷になっている場合、前記押しロッドが左方へ移動して前記中実ブロックと前記固定ブロックを上方へ移動させてバリケードを上昇させて車両を止め、前記過負荷警告装置の左側にはバリケード止め装置が設置され、前記バリケード止め装置は前記動力伝達空間の上側に位置した移動空間を含み、前記移動空間の中にはバリケードブロックが設置され、前記動力伝達空間の中には弾性止め板が設置され、また前記バリケードブロックの上端面には鋼釘が設置され、過負荷車両が強制的にバリケードを通過するとき、前記バリケードブロックが上方へ路面まで移動して不法車両を止め、前記バリケードブロックが上方へ移動することにより前記弾性止め板が上方へ路面まで移動し、車両を止め、車両の横転などの事故を避けることを特徴とする重量制限バリケード装置。
【請求項２】
前記重量検査装置は前記第一移動溝の中にスライドできるように連結された第一移動ブロックを含み、
前記第一移動ブロックの右端面にはばねが固定的に設置され、前記ばねの右側が前記第一移動溝の右端壁と固定的に連結され、前記第一移動ブロックにはてこがヒンジにより連結され、前記てこには支持ピンと固定板が固定的に設置され、前記固定板にはＴ形ブロックがヒンジにより連結され、前記てこの右側には液圧空間が設置され、前記Ｔ形ブロックの右端が前記液圧空間の中に位置しており、前記液圧空間の中は液体で満たされ、前記液圧空間の右端壁には送り管が貫通するように設置され、過負荷車両が通過するとき、前記押しブロックが下方へ移動し、前記押しロッドを押して左方へ移動させ、前記Ｔ形ブロックを右方へ移動させて液体を押圧することを特徴とする請求項１に記載の重量制限バリケード装置。
【請求項３】
前記過負荷警告装置は、前記送り管に位置し且つ前記送り管と連通した第一伝動空間を含み、
前記第一伝動空間には前記中実ブロックと固定的に連結されたプッシュブロックが設置され、前記固定ブロックには第一回転軸が回転できるように連結され、前記第一回転軸にはガードレールが固定的に連結され、前記中実ブロックの左側には第二移動溝が形成され、前記第一回転軸が前記第二移動溝の中まで下方に延びており、前記第一回転軸にはスプラインスリーブがカバーするように設置され、前記第一回転軸には第二回転軸が固定的に設置され、液体が前記送り管を経由して前記第一伝動空間の中に流れ込んで前記プッシュブロックを押して上方へ移動させ、前記第一回転軸が上方へ路面上まで移動して過負荷車両を止めることを特徴とする請求項１に記載の重量制限バリケード装置。
【請求項４】
前記バリケード止め装置は前記第二回転軸に固定的に巻きつけられた引き線を含み、
前記第二回転軸の左側には第三移動溝が形成され、前記引き線が左方へ前記第三移動溝の中に延びており、前記引き線には第二移動ブロックが固定的に連結され、前記第二移動ブロックの下端面には第一歯車が噛み合うように連結され、前記第一歯車の軸心には前記第二回転軸が固定的に設置され、前記第二回転軸には前記第一歯車の前側に位置した第一傘歯車が固定的に設置され、前記第一傘歯車の下側には第二傘歯車が噛み合うように連結され、前記第二傘歯車の軸心には第三回転軸が固定的に設置され、前記第三回転軸が下方へ延びており、前記第三回転軸には第一伝動傘歯車が固定的に連結され、前記第一伝動傘歯車の左側には第二伝動傘歯車が噛み合うように連結され、前記第二伝動傘歯車の軸心には伝動回転軸が固定的に設置され、前記伝動回転軸が左方へ前記移動空間の中に延びており、前記伝動回転軸には第三傘歯車が固定的に連結され、前記第三傘歯車の上側には第四傘歯車が噛み合うように連結され、前記第四傘歯車の軸心には第四回転軸が固定的に設置され、前記バリケードブロックが前記第四回転軸とねじ山により連結され、
前記移動空間の左側には第二伝動空間が設置され、前記伝動回転軸が左方へ前記第二伝動空間の中に延びており、前記伝動回転軸には第五傘歯車が固定的に連結され、前記第五傘歯車の上側には第六傘歯車が噛み合うように連結され、前記第六傘歯車の軸心には中空軸が固定的に設置され、前記第一移動ブロックの下端面には第二歯車が噛み合うように連結され、前記第二歯車の軸心には第五回転軸が固定的に設置され、前記第五回転軸が後ろへ延びており、前記第五回転軸には第一プーリーが固定的に連結され、前記第一プーリーの左側には第二プーリーが設置され、前記第一プーリーと前記第二プーリーとがベルトにより連結され、前記第二プーリーの軸心には第六回転軸が固定的に設置され、
前記第六回転軸には前記第二プーリーの前側に位置した第三歯車が固定的に設置され、前記第三歯車の左側には弾性止め板が噛み合うように連結され、過負荷車両が強制的に通過するとき、前記第三移動溝が前記第二移動ブロックを引いて前記第一歯車を回転させ、前記伝動回転軸が回転して前記第四回転軸を回転させ、前記バリケードブロックが上方へ路面まで移動して車両を止め、前記第一移動ブロックが移動して前記第二歯車を回転させ、前記第三歯車が回転して前記弾性止め板を上方へ前記中空軸の中まで移動させ、前記伝動回転軸が回転して前記第六傘歯車を回転させ、前記中空軸が続けて上方へ路面まで移動して車両を保護することを特徴とする請求項１に記載の重量制限バリケード装置。
【発明の詳細な説明】
【技術分野】
【０００１】
本発明は重量制限バリケード分野を取り上げて、具体的には重量制限バリケード装置である。
【背景技術】
【０００２】
現在、バリケードに関する研究はまだ高さ制限と幅制限の二つの基本的な方式に留まるが、道路の使用寿命に影響を与える本当の原因は、道路が受けた重量であり、また、重量は一部の交通事故に影響を与える主な原因の一つであり、車両の過負荷は、交通事故を引き起こしやすいだけではなく、道路を崩壊させることもあり、非常に危険であり、既存の重量制限装置はセンサーで検査するが、電気エネルギーの消耗が大きく、バリケードの止め効果が著しくなく、本願発明は上記問題を解決できる装置を開示する。
【先行技術文献】
【特許文献】
【０００３】
【特許文献１】中国特許出願公開第１０２５８７３０６号明細書
【発明の概要】
【発明が解決しようとする課題】
【０００４】
技術問題：既存の重量制限装置は簡単であり、電気エネルギーの消耗が大きく、バリケードの止め効果が著しくない。
【課題を解決するための手段】
【０００５】
本願発明の重量制限バリケード装置は、本体を含み、前記本体の右側には重量検査装置が設置され、前記重量検査装置は前記本体の右側に位置した検査空間を含み、前記検査空間の中には押しブロックと押しロッドが設置され、車両が前記押しブロックを通過するとき、前記押しブロックが下方へ移動し、車両が過負荷になっていない場合、正常に通過でき、車両が過負荷になっている場合、前記押しブロックが前記押しロッドと接触して前記押しロッドを押して左方へ移動させ、前記重量検査装置の左側には動力伝達空間が設置され、前記動力伝達空間の中には過負荷警告装置が設置され、前記過負荷警告装置は前記動力伝達空間の中の中実ブロックを含み、前記中実ブロックには固定ブロックが固定的に設置され、前記動力伝達空間の中には第一移動溝が形成され、前記押しロッドが前記第一移動溝にスライドできるように連結されることができ、車両が過負荷になっている場合、前記押しロッドが左方へ移動して前記中実ブロックと前記固定ブロックを上方へ移動させてバリケードを上昇させて車両を止め、前記過負荷警告装置の左側にはバリケード止め装置が設置され、前記バリケード止め装置は前記動力伝達空間の上側に位置した移動空間を含み、前記移動空間の中にはバリケードブロックが設置され、前記動力伝達空間の中には弾性止め板が設置され、また前記バリケードブロックの上端面には鋼釘が設置され、過負荷車両が強制的にバリケードを通過するとき、前記バリケードブロックが上方へ路面まで移動して不法車両を止め、前記バリケードブロックが上方へ移動することにより前記弾性止め板が上方へ路面まで移動し、車両を止め、車両の横転などの事故を避ける。
【０００６】
前記重量検査装置は前記第一移動溝の中にスライドできるように連結された第一移動ブロックを含み、前記第一移動ブロックの右端面にはばねが固定的に設置され、前記ばねの右側が前記第一移動溝の右端壁と固定的に連結され、前記第一移動ブロックにはてこがヒンジにより連結され、前記てこには支持ピンと固定板が固定的に設置され、前記固定板にはＴ形ブロックがヒンジにより連結され、前記てこの右側には液圧空間が設置され、前記Ｔ形ブロックの右端が前記液圧空間の中に位置しており、前記液圧空間の中は液体で満たされ、前記液圧空間の右端壁には送り管が貫通するように設置され、過負荷車両が通過するとき、前記押しブロックが下方へ移動し、前記押しロッドを押して左方へ移動させ、前記Ｔ形ブロックを右方へ移動させて液体を押圧する。
【０００７】
前記過負荷警告装置は、前記送り管に位置し且つ前記送り管と連通した第一伝動空間を含み、前記第一伝動空間には前記中実ブロックと固定的に連結されたプッシュブロックが設置され、前記固定ブロックには第一回転軸が回転できるように連結され、前記第一回転軸にはガードレールが固定的に連結され、前記中実ブロックの左側には第二移動溝が形成され、前記第一回転軸が前記第二移動溝の中まで下方に延びており、前記第一回転軸にはスプラインスリーブがカバーするように設置され、前記第一回転軸には第二回転軸が固定的に設置され、液体が前記送り管を経由して前記第一伝動空間の中に流れ込んで前記プッシュブロックを押して上方へ移動させ、前記第一回転軸が上方へ路面上まで移動して過負荷車両を止める。
【０００８】
前記バリケード止め装置は前記第二回転軸に固定的に巻きつけられた引き線を含み、前記第二回転軸の左側には第三移動溝が形成され、前記引き線が左方へ前記第三移動溝の中に延びており、前記引き線には第二移動ブロックが固定的に連結され、前記第二移動ブロックの下端面には第一歯車が噛み合うように連結され、前記第一歯車の軸心には前記第二回転軸が固定的に設置され、前記第二回転軸には前記第一歯車の前側に位置した第一傘歯車が固定的に設置され、前記第一傘歯車の下側には第二傘歯車が噛み合うように連結され、前記第二傘歯車の軸心には第三回転軸が固定的に設置され、前記第三回転軸が下方へ延びており、前記第三回転軸には第一伝動傘歯車が固定的に連結され、前記第一伝動傘歯車の左側には第二伝動傘歯車が噛み合うように連結され、前記第二伝動傘歯車の軸心には伝動回転軸が固定的に設置され、前記伝動回転軸が左方へ前記移動空間の中に延びており、前記伝動回転軸には第三傘歯車が固定的に連結され、前記第三傘歯車の上側には第四傘歯車が噛み合うように連結され、前記第四傘歯車の軸心には第四回転軸が固定的に設置され、前記バリケードブロックが前記第四回転軸とねじ山により連結され、前記移動空間の左側には第二伝動空間が設置され、前記伝動回転軸が左方へ前記第二伝動空間の中に延びており、前記伝動回転軸には第五傘歯車が固定的に連結され、前記第五傘歯車の上側には第六傘歯車が噛み合うように連結され、前記第六傘歯車の軸心には中空軸が固定的に設置され、前記第一移動ブロックの下端面には第二歯車が噛み合うように連結され、前記第二歯車の軸心には第五回転軸が固定的に設置され、前記第五回転軸が後ろへ延びており、前記第五回転軸には第一プーリーが固定的に連結され、前記第一プーリーの左側には第二プーリーが設置され、前記第一プーリーと前記第二プーリーとがベルトにより連結され、前記第二プーリーの軸心には第六回転軸が固定的に設置され、前記第六回転軸には前記第二プーリーの前側に位置した第三歯車が固定的に設置され、前記第三歯車の左側には弾性止め板が噛み合うように連結され、過負荷車両が強制的に通過するとき、前記第三移動溝が前記第二移動ブロックを引いて前記第一歯車を回転させ、前記伝動回転軸が回転して前記第四回転軸を回転させ、前記バリケードブロックが上方へ路面まで移動して車両を止め、前記第一移動ブロックが移動して前記第二歯車を回転させ、前記第三歯車が回転して前記弾性止め板を上方へ前記中空軸の中まで移動させ、前記伝動回転軸が回転して前記第六傘歯車を回転させ、前記中空軸が続けて上方へ路面まで移動して車両を保護する。
【発明の効果】
【０００９】
本願発明の有益な効果は：本願発明に押しロッドが設置され、車両を検査し、センサーを使うことによる電気エネルギーの消耗を避け、本願発明の中にはバリケードが設置され、強制的に突破する車両を止め、不法車両の通過を止め、バリケードの左側には弾性止め板が設置され、止められた車両を保護し、横転などの安全事故を避け、本願発明は検査が正確であり、止め効果が著しく、安全リスクがなく、様々な交通交差点に適する。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本願発明の重量制限バリケード装置の全体構造概略図
【図２】図２は図１のＡの構造拡大概略図
【図３】図３は図１のＢの構造拡大概略図
【図４】図４は図１のＣ―Ｃ方向の構造概略図
【図５】図５は図１のＤ―Ｄ方向の構造概略図
【図６】図６は図１のＥ―Ｅ方向の構造概略図
【発明を実施するための形態】
【００１２】
本願発明は重量制限バリケード装置に関わり、主に道路交通重量制限止め作業に応用され、下記に本願発明の図面に合わせて本願発明を更に説明する：
【００１３】
本願発明の重量制限バリケード装置は、本体１０を含み、前記本体１０の右側には重量検査装置９０１が設置され、前記重量検査装置９０１は前記本体１０の右側に位置した検査空間６３を含み、前記検査空間６３の中には押しブロック２４と押しロッド２２が設置され、車両が前記押しブロック２４を通過するとき、前記押しブロック２４が下方へ移動し、車両が過負荷になっていない場合、正常に通過でき、車両が過負荷になっている場合、前記押しブロック２４が前記押しロッド２２と接触して前記押しロッド２２を押して左方へ移動させ、前記重量検査装置９０１の左側には動力伝達空間１６が設置され、前記動力伝達空間１６の中には過負荷警告装置９０２が設置され、前記過負荷警告装置９０２は前記動力伝達空間１６の中の中実ブロック４２を含み、前記中実ブロック４２には固定ブロック４１が固定的に設置され、前記動力伝達空間１６の中には第一移動溝１９が形成され、前記押しロッド２２が前記第一移動溝１９にスライドできるように連結されることができ、車両が過負荷になっている場合、前記押しロッド２２が左方へ移動して前記中実ブロック４２と前記固定ブロック４１を上方へ移動させてバリケードを上昇させて車両を止め、前記過負荷警告装置９０２の左側にはバリケード止め装置９０３が設置され、前記バリケード止め装置９０３は前記動力伝達空間１６の上側に位置した移動空間３５を含み、前記移動空間３５の中にはバリケードブロック３４が設置され、前記動力伝達空間１６の中には弾性止め板１５が設置され、また前記バリケードブロック３４の上端面には鋼釘が設置され、過負荷車両が強制的にバリケードを通過するとき、前記バリケードブロック３４が上方へ路面まで移動して不法車両を止め、前記バリケードブロック３４が上方へ移動することにより前記弾性止め板１５が上方へ路面まで移動し、車両を止め、車両の横転などの事故を避ける。
【００１４】
前記重量検査装置９０１は前記第一移動溝１９の中にスライドできるように連結された第一移動ブロック２１を含み、前記第一移動ブロック２１の右端面にはばね５５が固定的に設置され、前記ばね５５の右側が前記第一移動溝１９の右端壁と固定的に連結され、前記第一移動ブロック２１にはてこ４９がヒンジにより連結され、前記てこ４９には支持ピン５１と固定板５０が固定的に設置され、前記固定板５０にはＴ形ブロック５２がヒンジにより連結され、前記てこ４９の右側には液圧空間５３が設置され、前記Ｔ形ブロック５２の右端が前記液圧空間５３の中に位置しており、前記液圧空間５３の中は液体で満たされ、前記液圧空間５３の右端壁には送り管５４が貫通するように設置され、過負荷車両が通過するとき、前記押しブロック２４が下方へ移動し、前記押しロッド２２を押して左方へ移動させ、前記Ｔ形ブロック５２を右方へ移動させて液体を押圧する。
【００１５】
前記過負荷警告装置９０２は、前記送り管５４に位置し且つ前記送り管５４と連通した第一伝動空間５６を含み、前記第一伝動空間５６には前記中実ブロック４２と固定的に連結されたプッシュブロック５７が設置され、前記固定ブロック４１には第一回転軸４０が回転できるように連結され、前記第一回転軸４０にはガードレール３９が固定的に連結され、前記中実ブロック４２の左側には第二移動溝３８が形成され、前記第一回転軸４０が前記第二移動溝３８の中まで下方に延びており、前記第一回転軸４０にはスプラインスリーブ３７がカバーするように設置され、前記第一回転軸４０には第二回転軸５８が固定的に設置され、液体が前記送り管５４を経由して前記第一伝動空間５６の中に流れ込んで前記プッシュブロック５７を押して上方へ移動させ、前記第一回転軸４０が上方へ路面上まで移動して過負荷車両を止める。
【００１６】
前記バリケード止め装置９０３は前記第二回転軸５８に固定的に巻きつけられた引き線２７を含み、前記第二回転軸５８の左側には第三移動溝２８が形成され、前記引き線２７が左方へ前記第三移動溝２８の中に延びており、前記引き線２７には第二移動ブロック３３が固定的に連結され、前記第二移動ブロック３３の下端面には第一歯車２９が噛み合うように連結され、前記第一歯車２９の軸心には前記第二回転軸５８が固定的に設置され、前記第二回転軸５８には前記第一歯車２９の前側に位置した第一傘歯車５９が固定的に設置され、前記第一傘歯車５９の下側には第二傘歯車２６が噛み合うように連結され、前記第二傘歯車２６の軸心には第三回転軸６０が固定的に設置され、前記第三回転軸６０が下方へ延びており、前記第三回転軸６０には第一伝動傘歯車６２が固定的に連結され、前記第一伝動傘歯車６２の左側には第二伝動傘歯車６１が噛み合うように連結され、前記第二伝動傘歯車６１の軸心には伝動回転軸３６が固定的に設置され、前記伝動回転軸３６が左方へ前記移動空間３５の中に延びており、前記伝動回転軸３６には第三傘歯車３０が固定的に連結され、前記第三傘歯車３０の上側には第四傘歯車３１が噛み合うように連結され、前記第四傘歯車３１の軸心には第四回転軸３２が固定的に設置され、前記バリケードブロック３４が前記第四回転軸３２とねじ山により連結され、前記移動空間３５の左側には第二伝動空間１２が設置され、前記伝動回転軸３６が左方へ前記第二伝動空間１２の中に延びており、前記伝動回転軸３６には第五傘歯車１４が固定的に連結され、前記第五傘歯車１４の上側には第六傘歯車１３が噛み合うように連結され、前記第六傘歯車１３の軸心には中空軸１１が固定的に設置され、前記第一移動ブロック２１の下端面には第二歯車２０が噛み合うように連結され、前記第二歯車２０の軸心には第五回転軸４６が固定的に設置され、前記第五回転軸４６が後ろへ延びており、前記第五回転軸４６には第一プーリー４８が固定的に連結され、前記第一プーリー４８の左側には第二プーリー４７が設置され、前記第一プーリー４８と前記第二プーリー４７とがベルト１８により連結され、前記第二プーリー４７の軸心には第六回転軸４５が固定的に設置され、前記第六回転軸４５には前記第二プーリー４７の前側に位置した第三歯車１７が固定的に設置され、前記第三歯車１７の左側には弾性止め板１５が噛み合うように連結され、過負荷車両が強制的に通過するとき、前記第三移動溝２８が前記第二移動ブロック３３を引いて前記第一歯車２９を回転させ、前記伝動回転軸３６が回転して前記第四回転軸３２を回転させ、前記バリケードブロック３４が上方へ路面まで移動して車両を止め、前記第一移動ブロック２１が移動して前記第二歯車２０を回転させ、前記第三歯車１７が回転して前記弾性止め板１５を上方へ前記中空軸１１の中まで移動させ、前記伝動回転軸３６が回転して前記第六傘歯車１３を回転させ、前記中空軸１１が続けて上方へ路面まで移動して車両を保護する。
【００１７】
下記に図１〜６に合わせて本願発明の重量制限バリケード装置の使用流れを更に説明する：
初期状態では、弾性止め板１５と、バリケードブロック３４と、第一回転軸４０と、中実ブロック４２がいずれも地下にあり、車両が過負荷になっていないと、正常に通過でき、本願発明は初期状態にあり、
車両が過負荷になっている場合、押しブロック２４が押しロッド２２と接触して押しロッド２２を押して左方へ移動させ、第一移動ブロック２１を左方へ移動させ、てこ４９の下端が左方へ傾き、上端が右方へ傾き、Ｔ形ブロック５２が右方へ移動して液圧空間５３の中の液体を右方へ押し、送り管５４により第一伝動空間５６の中に入ってプッシュブロック５７を押して上方へ移動させ、中実ブロック４２が上方へ移動して固定ブロック４１を上方へ移動させ、第一回転軸４０が上方へ路面まで移動して車両を止め、このとき過負荷車両が停止すれば、バリケードが反応しなく、
過負荷車両が強制的に通過するとき、第一回転軸４０が回転して第二回転軸５８を回転させ、引き線２７が右方へ引かれ、第二移動ブロック３３が右方へ移動して第一歯車２９を回転させ、第二回転軸５８を回転させ、第一傘歯車５９が回転して第二傘歯車２６を回転させ、第三回転軸６０を回転させ、第一伝動傘歯車６２が回転して第二伝動傘歯車６１を回転させ、伝動回転軸３６を回転させ、第三傘歯車３０が回転して第四傘歯車３１を回転させ、第四回転軸３２を回転させ、これによりバリケードブロック３４が上方へ路面まで移動して車両を止め、
第一移動ブロック２１が移動して第二歯車２０を回転させ、第五回転軸４６が回転し、これにより第一プーリー４８が回転してベルト１８を回転させ、第二プーリー４７を回転させ、これにより第六回転軸４５が回転して第三歯車１７を回転させ、弾性止め板１５が中空軸１１の中まで上方へ移動して中空軸１１と噛み合い、伝動回転軸３６が回転して第五傘歯車１４を回転させ、第六傘歯車１３を回転させ、これにより中空軸１１が回転して弾性止め板１５を続けて上方へ路面まで移動させて車両を保護し、止め完了し、本願発明が初期状態に戻る。
【００１８】
以上の方式により、本業者が本発明の範囲内において作業モジュールにより各種の変更を行うことができる。
【要約】
【課題】本発明は重量制限バリケード装置を開示した。
【解決手段】
本体を含み、前記本体の右側には重量検査装置が設置され、前記重量検査装置は前記本体の右側に位置した検査空間を含み、前記検査空間の中には押しブロックと押しロッドが設置され、車両が前記押しブロックを通過するとき、前記押しブロックが下方へ移動し、車両が過負荷になっていない場合、正常に通過でき、車両が過負荷になっている場合、前記押しブロックが前記押しロッドと接触して前記押しロッドを押して左方へ移動させ、前記重量検査装置の左側には動力伝達空間が設置され、前記動力伝達空間の中には過負荷警告装置が設置され、前記過負荷警告装置は前記動力伝達空間の中の中実ブロックを含み、前記中実ブロックには固定ブロックが固定的に設置され、前記動力伝達空間の中には第一移動溝が形成されている。
【選択図】図１【図１】
0006799209.tif 000002
【図２】
0006799209.tif 000003
【図３】
0006799209.tif 000004
【図４】
0006799209.tif 000005
【図５】
0006799209.tif 000006
【図６】
0006799209.tif 000007